(57)【要約】【課題】薄型化を図りながら、表示器の破損等を生じ難くする表示装置及びそのホルダを提供する。【解決手段】液晶表示装置１は、液晶表示器１０と、これを保持するＬＣＤホルダ２０を備えて構成される。ＬＣＤホルダ２０は、ゴム系樹脂等の軟質な材料によるクッション部２１と、これに一体化される硬質な材料による台座部２２とを、二色成形で一体化した２層構造であり、液晶表示器１０は粘着シート３０を介してクッション部２１に装着される。ＬＣＤホルダ２０に衝撃等の外力が加わっても、クッション部２１で吸収されるので、表示器１０に加わる外力は低減される。【選択図】        図１
2004309699.tif 000002
【特許請求の範囲】
【請求項１】
片面に表示面を有する表示器と、
軟質な材料により前記表示器を設置するための凹部が形成されたクッション部を上層にし、硬質な材料による台座部を前記クッション部に二色成形により一体化したホルダとを備え、
前記表示器は、前記クッション部の前記凹部に粘着部材によって貼着されていることを特徴とする表示装置。
【請求項２】
前記クッション部は、ゴム系樹脂又はエラストマ系樹脂が用いられていることを特徴とする請求項１記載の表示装置。
【請求項３】
前記台座部は、樹脂材が用いられていることを特徴とする請求項１記載の表示装置。
【請求項４】
前記台座部は、四隅にネジ止め用の固定部が設けられ、前記固定部は軟質な材料によるクッション部を有していることを特徴とする請求項１又は３記載の表示装置。
【請求項５】
前記表示器は、液晶表示器であることを特徴とする請求項１記載の表示装置。
【請求項６】
前記粘着部材は、両面粘着シート、両面粘着テープ、又は接着剤であることを特徴とする請求項１記載の表示装置。
【請求項７】
表示器の装着により表示装置が構成され、この状態で前記表示装置を採用する装置の筐体又はケースに取り付けられるホルダにおいて、
前記表示器を設置するための凹部が形成された軟質な材料によるクッション部と、
前記クッション部が上層になるようにして二色成形により前記クッション部に一体化された硬質な材料による台座部とを備えることを特徴とするホルダ。
【請求項８】
前記クッション部は、ゴム系樹脂又はエラストマ系樹脂が用いられていることを特徴とする請求項７記載のホルダ。
【請求項９】
前記台座部は、樹脂材が用いられていることを特徴とする請求項７記載のホルダ。
【請求項１０】
前記台座部は、前記筐体又は又は前記ケースにネジ止め固定するための固定部が四隅に設けられていることを特徴とする請求項７又は９記載のホルダ。
【発明の詳細な説明】
【０００１】
【発明の属する技術分野】
本発明は、表示装置及びそのホルダに関し、特に、薄型化を達成しながら、外部からの衝撃等による表示器の破損等を生じにくくする表示装置及びそのホルダに関する。
【０００２】
【従来の技術】
例えば、携帯電話機やＰＨＳ（Ｐｅｒｓｏｎａｌ  Ｈａｎｄｙｐｈｏｎｅ  Ｓｙｓｔｅｍ）電話機等の携帯端末装置では、電話帳、メール、受信画像、搭載カメラによる撮影画像等を表示するために、操作面等に小型の液晶表示器（ＬＣＤ：Ｌｉｑｕｉｄ  Ｃｒｙｓｔａｌ  Ｄｉｓｐｌａｙ）が設けられている。
【０００３】
図５は、従来の液晶表示装置の構成を示す。ここでは、携帯電話機の液晶表示装置について説明する。
表示駆動回路（図示せず）等により駆動される液晶表示器１０１はホルダ１０２に搭載され、このホルダ１０２はプリント基板１０３の近傍に配置される。プリント基板１０３には、液晶表示器１０１を駆動するための電子回路及び電子部品（図示せず）が実装されている。液晶表示器１０１は、ＬＣＤ本体と、図示しないバックライト用のＬＥＤ（発光ダイオード）と、このＬＥＤからの光を液晶表示器１０１の背面に一様に付与するための透光性樹脂による導光部材（図示せず）を一体化したユニットになっている。
【０００４】
ホルダ１０２は硬質の樹脂材による成形で作られており、液晶表示器１０１の外形相当の内寸法の凹部を有している。この凹部内には、液晶表示器１０１が両面接着テープ１０４等を用いて固定される。プリント基板１０３は、シャーシー（図示せず）等に取り付けられる。
【０００５】
図５の様に液晶表示器１０１が取り付けられた後、携帯電話機の筐体を形成している上部ケース（折り畳み型携帯電話機の場合）又は前面ケース（ストレート型携帯電話機の場合）が被せられ、他のケース部が全て取り付けられることにより、携帯電話機が完成する。
【０００６】
携帯電話機等は小型軽量化が求められているため、各電子部品のほか、筐体、基板、部品の取付部材等の全てについて徹底した軽量化が要求されている。しかも、携帯電話機等は、日常的に携帯されるものであるため、取り扱いも乱暴に扱われる恐れがあるため、筐体、基板、取付部材等は、軽量化を図りながらも十分な強度を有することが求められる。また、量産性の向上、原価低減による組立工数の削減等も要求されている。
【０００７】
携帯電話機等に搭載される液晶表示装置に対しても、小型化及び薄型化が要求されているが、偏光板やガラス基板を組み合わせた構成であるため、携帯電話機を落下させたり、表示部に衝撃等の外力が加わると、偏光板やガラス基板に割れ、損傷等を招くことがある。そこで、液晶表示器を衝撃等から保護できるような構造や設計が要求される。
【０００８】
【特許文献１】
特開平７−１０４２４８号公報
【０００９】
【発明が解決しようとする課題】
しかし、従来の液晶表示装置によると、図５の構成では、小型化のために液晶表示器とフレームやホルダ内周との間の隙間を小さくすると、衝撃等の外部からの力が液晶表示器に伝わり易く、液晶表示器の損傷、破損等を招きやすくなる。また、特許文献１の構成では、軟質部材を部分的に設けるため、緩衝効果を高めるには厚みを大きくせざるを得ず、従って軟質部材の厚みの分だけ表示部の厚みが大きくなり、薄型化が図れない。上記の問題は、液晶表示器だけでなく、平板状で薄型な構成の表示器に共通する。
【００１０】
したがって、本発明の目的は、薄型化を図りながら、表示器の破損等を生じ難くする表示装置及びそのホルダを提供するにある。
【００１１】
【課題を解決するための手段】
本発明は、上記の目的を達成するため、第１の特徴として、片面に表示面を有する表示器と、軟質な材料により前記表示器を設置するための凹部が形成されたクッション部を上層にし、硬質な材料による台座部を前記クッション部に二色成形により一体化したホルダとを備え、前記表示器は、前記クッション部の前記凹部に粘着部材によって貼着されていることを特徴とする表示装置を提供する。
【００１２】
この構成によれば、ホルダが軟質な材料によるクッション部と硬質な材料による台座部とが二色成形により一体化されているため、クッション部に表示器を搭載すれば、ホルダに衝撃等の外力が加わっても、衝撃等はクッション部で吸収され、表示器に伝わり難くなるので、表示器の破損等を招きにくい液晶表示装置が得られる。しかも、二色成形によりクッション部と台座部を一体化し、クッション部を別部品としていないので、高い位置決め精度が得られると共に、コストダウンが可能になる。
【００１３】
本発明は、上記の目的を達成するため、第２の特徴として、表示器の装着により表示装置が構成され、この状態で前記液晶表示装置を採用する装置の筐体又はケースに取り付けられるホルダにおいて、前記表示器を設置するための凹部が形成された軟質な材料によるクッション部と、前記クッション部が上層になるようにして二色成形により前記クッション部に一体化された硬質な材料による台座部とを備えることを特徴とするホルダを提供する。
【００１４】
この構成によれば、軟質な材料によるクッション部と、硬質な材料による台座部とを二色成形により一体化してホルダを形成しているため、ホルダに衝撃等の外力が加わっても、衝撃等はクッション部で吸収され、クッション部に装着した表示器には衝撃等が伝わり難くなり、表示器の破損等を生じ難くすることができる。しかも、二色成形によりクッション部と台座部を一体化しているため、高い位置決め精度が得られると共に、コストダウンが可能になる。
【００１５】
【発明の実施の形態】
以下、本発明の実施の形態を図面に基づいて説明する。
図１及び図２は本発明の実施の形態に係る表示装置及びそのホルダを示す。
液晶表示装置１は、液晶表示器１０とＬＣＤホルダ２０を備えて構成されている。液晶表示器１０は、液晶本体にＬＥＤ及び導光部材を一体化させたユニット構造である。この液晶表示器１０は、ＬＣＤホルダ２０に取り付けられる。ＬＣＤホルダ２０は、液晶表示器１０を載置可能な内寸法の凹部が形成されている。ＬＣＤホルダ２０は２層構造を成し、ベースとなる台座部２１と、この台座部２１の上面に形成されたクッション部２２よりなり、二色成形により作られている。
【００１６】
台座部２１にはＡＢＳ（アクリロニトリル・ブタジェン・スチレン）樹脂等の硬質の材料が用いられ、クッション部２２にはエラストマ系樹脂、ゴム系樹脂等の軟質な材料が用いられる。台座部２１とクッション部２２の厚みは、全体の厚みと、必要な強度及び耐緩衝性を勘案して決定する。
【００１７】
図１に示すように、液晶表示器１０は、両面に粘着性を有する粘着シート３０を用いてクッション部２２内に接着固定される。粘着シート３０は、ほかに接着剤、両面粘着（接着）テープ等を用いることができる。
【００１８】
図３は、液晶表示装置の分解図を示す。
組み立てに際し、液晶表示器１０よりやや大きいサイズの粘着シート３０が用意される。ＬＣＤホルダ２０は、クッション部２２を上にして作業台等の上に載置され、このクッション部２２上に粘着シート３０を位置合わせして接着する。次に、クッション部２２内に納まるようにして、液晶表示器１０を粘着シート３０上に貼着する。以上により、液晶表示器１０とＬＣＤホルダ２０が図２の状態に組み付けられ、１つのユニットが完成する。こうして完成したユニットは、筐体に嵌め込んで取り付けられ、或いは専用の治具を用いて取り付けられる。
【００１９】
液晶表示器１０は、クッション部２２によって下面及び側面が囲まれるため、液晶表示器１０の周囲にクッション材を介挿したのと同等の効果が得られ、液晶表示器１０を衝撃等の外力から保護できる。例えば、図２に示す液晶表示器１０とＬＣＤホルダ２０を携帯電話機に適用した場合、携帯電話機を落下させたり、外部から衝撃が加わった場合、外力はケース、更には筐体を介してＬＣＤホルダ２０に伝達されるが、衝撃等はクッション部２２で吸収されるため、液晶表示器１０に影響を及ぼすことがなく、液晶表示器１０の破損等を防止することができる。更に、クッション部２２は二色成形により作られているため、公差精度が良く、液晶表示器の位置決めも従来の固い樹脂によるホルダと同等に納めることが可能になる。また、液晶保護用のために、クッション部２２に相当するものを二次加工により貼付するといった作業工程が不要になるため、工数の削減が可能になる。
【００２０】
図４は、本発明の他の実施の形態に係る表示装置及びそのホルダを示す。図４においては、図２と同一であるものには同一引用数字を用いており、重複する説明は省略する。
本実施の形態は、図２のＬＣＤホルダ２０の台座部２１の四隅にネジ止め用の固定部２３ａ，２３ｂ，２３ｃ，２３ｄ（それぞれにはネジ穴２４が設けられている）を設けたＬＣＤホルダ４０としたところに特徴がある。固定部２３ａ〜２３ｄには、クッション部２２と同じ材料によるクッション部２５ａ，２５ｂ，２５ｃ，２５ｄが二色成形により設けられている。
【００２１】
この様な構成により、固定部２３ａ〜２３ｄをネジ止めにより筐体に固定することで、落下等によりＬＣＤホルダ４０に外部から衝撃等が加わっても、固定部２３ａ〜２３ｄのクッション部２５ａ〜２５ｄが衝撃等を吸収する。さらに、固定部２３ａ〜２３ｄから台座部２１に伝達された衝撃等は、クッション部２２で吸収される。したがって、ケースや筐体に付与された衝撃等が液晶表示器１０に到達するのを大幅に低減することが可能になり、ユニットの薄型化を図りながら、液晶表示器の破損等を生じにくくすることが可能になる。
【００２２】
上記各実施の形態においては、表示器が液晶表示器であるとしたが、他の動作原理による表示器、例えば、プラズマディスプレィ、電界放射ディスプレィ（ＦＥＤ）、有機ＥＬ（電界発光）ディスプレィ等の薄型の表示器に対しても本発明を適用可能である。
【００２３】
また、上記各実施の形態においては、図１に示したようにクッション部２２と台座部２１の双方に凹部を形成するものとしたが、クッション部２２のみが凹部を成す形状であってもよい。また、ＬＣＤホルダ２０は、凹部の底面全体が設置面となる構成を示したが、液晶表示器１０を保持するに必要な強度が確保されていれば、台座部２１の凹部の一部又は大部分が中空であってもよい。
【００２４】
更に、上記実施の形態においては、表示装置及びホルダを携帯電話機に適用した場合について説明したが、携帯型の各種電子装置、例えば、パーソナルコンピュータ、ＰＤＡ（Ｐｅｒｓｏｎａｌ  Ｄｉｇｉｔａｌ  Ａｓｓｉｓｔａｎｔ）装置、電子辞書、電子手帳、トランシーバ等に適用可能である。
【００２５】
【発明の効果】
以上より明らかなように、本発明の表示装置及びそのホルダによれば、ホルダが軟質な材料によるクッション部と、硬質な材料による台座部とを一体化した構成であるため、ホルダに衝撃等の外力が加わっても、クッション部で吸収され、クッション部に装着した表示器には衝撃等が伝わり難くなり、表示器の薄型化を図っても破損等を生じ難くすることができる。二色成形によりクッション部と台座部を一体化しているため、高い位置決め精度が得られる。また、クッション部を別工程及び別部品として供給する必要がないため、クッション用部品を必要とせず、貼付工数も必要としないのでコストダウンを図ることができる。
【図面の簡単な説明】
【図１】本発明の実施の形態に係る液晶表示装置を示す断面図である。
【図２】本発明の実施の形態に係る液晶表示装置を示す斜視図である。
【図３】本発明の実施の形態に係る液晶表示装置の分解図である。
【図４】本発明の他の実施の形態に係る液晶表示装置を示す斜視図である。
【図５】従来の液晶表示装置の構成を示す断面図である。
【符号の説明】
１  液晶表示装置
１０  液晶表示器
２０，４０  ＬＣＤホルダ
２１  台座部
２２  クッション部
２３ａ，２３ｂ，２３ｃ，２３ｄ  固定部
２４  ネジ穴
２５ａ，２５ｂ，２５ｃ，２５ｄ  クッション部
３０  粘着シート
１０１  液晶表示器
１０２  ホルダ
１０３  プリント基板
１０４  両面接着テープ
【図１】
2004309699.tif 000003
【図２】
2004309699.tif 000004
【図３】
2004309699.tif 000005
【図４】
2004309699.tif 000006
【図５】
2004309699.tif 000007